【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
所望のデータを取得するための通信メディアを複数有する通信装置であって、
前記所望のデータに対して分割処理がおこなわれた分割データを複数の通信メディアで取得する分割データ取得手段と、
前記分割データ取得手段によって複数の通信メディアで取得された分割データに対して結合処理をおこなって所望のデータを復元するデータ復元手段と、を備え、
前記分割データ取得手段は、データの種別に応じて振り分けられた分割データを各通信メディアで取得することを特徴とする通信装置。
【請求項２】
前記所望のデータに対する分割命令および前記分割データの振分命令を含む送信制御情報を通知する送信制御情報通知手段をさらに備え、
前記分割データ取得手段は、前記所望のデータに対して前記分割命令に基づく分割処理がおこなわれた分割データを前記振分命令に応じて該分割データが振り分けられた各通信メディアで取得することを特徴とする請求項１に記載の通信装置。
【請求項３】
前記所望のデータの容量をもとに、前記分割データ取得手段による分割データ取得処理をおこなうか否かを判定する分割データ取得可否判定手段をさらに備え、
前記分割データ取得手段は、前記分割データ取得可否判定手段によって分割データ取得処理をおこなうと判定された場合に、前記所望のデータに対して分割処理がおこなわれた分割データを複数の通信メディアで取得することを特徴とする請求項１または２に記載の通信装置。
【請求項４】
前記分割データ取得可否判定手段は、通信速度の閾値を満たす通信メディア数をもとに、前記分割データ取得手段による分割データ取得処理をおこなうか否かを判定することを特徴とする請求項３に記載の通信装置。
【請求項５】
前記分割データ取得可否判定手段は、通信料金が閾値未満で所望のデータを取得可能な通信メディア数をもとに、前記分割データ取得手段による分割データ取得処理をおこなうか否かを判定することを特徴とする請求項３または４に記載の通信装置。
【請求項６】
所望のデータを取得するための通信メディアを複数有する通信装置であって、
前記所望のデータが暗号化された鍵付きデータおよび該鍵情報を複数の通信メディアで取得するデータ取得手段と、
前記データ取得手段によって取得された鍵付きデータを鍵情報で復号化することによって所望のデータを復元するデータ復元手段と、
を備えたことを特徴とする通信装置。
【請求項７】
前記データ取得手段は、前記所望のデータが暗号化された鍵付きデータおよび該鍵情報をデータの重要度に応じて振り分けられた各通信メディアで取得することを特徴とする請求項６に記載の通信装置。
【請求項８】
前記データ取得手段は、前記所望のデータが暗号化された鍵付きデータおよび該鍵情報をデータの重要度に応じて重複して振り分けられた各通信メディアで取得することを特徴とする請求項６または７に記載の通信装置。
【手続補正２】
【補正対象書類名】明細書
【補正対象項目名】００１２
【補正方法】変更
【補正の内容】
【００１２】
上述した課題を解決し、目的を達成するために、請求項１の発明に係る通信装置は、所望のデータを取得するための通信メディアを複数有する通信装置であって、前記所望のデータに対して分割処理がおこなわれた分割データを複数の通信メディアで取得する分割データ取得手段と、前記分割データ取得手段によって複数の通信メディアで取得された分割データに対して結合処理をおこなって所望のデータを復元するデータ復元手段と、を備え、前記分割データ取得手段は、データの種別に応じて振り分けられた分割データを各通信メディアで取得することを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
また、請求項２の発明に係る通信装置は、上記の発明において、前記所望のデータに対する分割命令および前記分割データの振分命令を含む送信制御情報を通知する送信制御情報通知手段をさらに備え、前記分割データ取得手段は、前記所望のデータに対して前記分割命令に基づく分割処理がおこなわれた分割データを前記振分命令に応じて該分割データが振り分けられた各通信メディアで取得することを特徴とする。
【手続補正７】
【補正対象書類名】明細書
【補正対象項目名】００１７
【補正方法】変更
【補正の内容】
【００１７】
また、請求項３の発明に係る通信装置は、上記の発明において、前記所望のデータの容量をもとに、前記分割データ取得手段による分割データ取得処理をおこなうか否かを判定する分割データ取得可否判定手段をさらに備え、前記分割データ取得手段は、前記分割データ取得可否判定手段によって分割データ取得処理をおこなうと判定された場合に、前記所望のデータに対して分割処理がおこなわれた分割データを複数の通信メディアで取得することを特徴とする。
【手続補正８】
【補正対象書類名】明細書
【補正対象項目名】００１８
【補正方法】変更
【補正の内容】
【００１８】
また、請求項４の発明に係る通信装置は、上記の発明において、前記分割データ取得可否判定手段は、通信速度の閾値を満たす通信メディア数をもとに、前記分割データ取得手段による分割データ取得処理をおこなうか否かを判定することを特徴とする。
【手続補正９】
【補正対象書類名】明細書
【補正対象項目名】００１９
【補正方法】変更
【補正の内容】
【００１９】
また、請求項５の発明に係る通信装置は、上記の発明において、前記分割データ取得可否判定手段は、通信料金が閾値未満で所望のデータを取得可能な通信メディア数をもとに、前記分割データ取得手段による分割データ取得処理をおこなうか否かを判定することを特徴とする。
【手続補正１０】
【補正対象書類名】明細書
【補正対象項目名】００２０
【補正方法】変更
【補正の内容】
【００２０】
また、請求項６の発明に係る通信装置は、所望のデータを取得するための通信メディアを複数有する通信装置であって、前記所望のデータが暗号化された鍵付きデータおよび該鍵情報を複数の通信メディアで取得するデータ取得手段と、前記データ取得手段によって取得された鍵付きデータを鍵情報で復号化することによって所望のデータを復元するデータ復元手段と、を備えたことを特徴とする。
【手続補正１１】
【補正対象書類名】明細書
【補正対象項目名】００２１
【補正方法】変更
【補正の内容】
【００２１】
また、請求項７の発明に係る通信装置は、上記の発明において、前記データ取得手段は、前記所望のデータが暗号化された鍵付きデータおよび該鍵情報をデータの重要度に応じて振り分けられた各通信メディアで取得することを特徴とする。
【手続補正１２】
【補正対象書類名】明細書
【補正対象項目名】００２２
【補正方法】変更
【補正の内容】
【００２２】
また、請求項８の発明に係る通信装置は、上記の発明において、前記データ取得手段は、前記所望のデータが暗号化された鍵付きデータおよび該鍵情報をデータの重要度に応じて重複して振り分けられた各通信メディアで取得することを特徴とする。